(57)【特許請求の範囲】
【請求項１】
動物を捕獲するためのトラップであって、
タンクと、
前記タンクの上方で、長手方向に沿って、入口から伸長する通路と、
前記通路の端部に配置され、かつ、餌を収容するように適応されたコンテナと、
前記通路の床を画定するクローズ構成と、前記通路から前記タンクへ動物が落ちるオープン構成との間で移動可能なギャングウエイであって、
ａ）前記長手方向に水平および垂直に固定された第１の回転軸線の回りにヒンジ結合された第１トラップドアであって、前記クローズ構成に対応する略水平の位置と、前記オープン構成に対応する傾斜位置との間で回転する第１トラップドアと、
ｂ）前記第１トラップドアに与えられたカウンターウエイトまたは前記ギャングウエイに与えられた少なくともひとつのバネによる回転回復力によって、前記ギャングウエイを前記クローズ構成としかつ維持する動作を実行する第１リターン手段と、
ｃ）前記長手方向に沿って前記第１トラップドアの後に配置された第２トラップドアと
を有するギャングウエイと
を備え、
前記コンテナに関して固定した位置に、前記クローズ構成において前記ギャングウエイを保持するための保持手段が設けられており、
前記ギャングウエイは、
使用中に、前記第１トラップドア上に荷重される重量による下方力を、前記第２トラップドアに伝達するように、前記第２トラップドアを前記第１トラップドアに、前記第１軸線に関して平行かつ離隔された第２回転軸線の回りに回転可能に結合するヒンジ手段と、
前記保持手段とリリース可能に係合するアタッチ手段と
を有し、
前記第２トラップドアに前記重量が荷重された場合には、その重量に応答して前記アタッチ手段が前記保持手段からリリースされて前記ギャングウエイが前記オープン構成に移行し、かつ、前記第１トラップドアに前記重量が荷重された場合には、その重量に拘わらず、略水平の位置に前記第１トラップドアを支持して前記ギャングウエイを前記クローズ構成に維持するように、前記アタッチ手段が前記保持手段に係合する、ことを特徴とするトラップ。
【請求項２】
前記第２トラップドアは、互いに対向する第１および第２エンド部を有し、前記第１エンド部は、前記第１トラップドアに隣接し、前記第２エンド部は、前記アタッチ手段を支持する、ことを特徴とする請求項１に記載のトラップ。
【請求項３】
前記第２トラップドアは、前記クローズ構成において、前記第１エンド部から、前記第２エンド部の方向へ向かって、上方に傾斜する、平坦な上面を有する、ことを特徴とする請求項２に記載のトラップ。
【請求項４】
前記ギャングウエイは、前記クローズ構成において、前記ヒンジ手段によりヒンジ結合された前記第２トラップドアに弾性回転回復力を与えることにより、または、前記第２トラップドアに配置されたカウンターウエイトにより、前記第１および第２トラップドアが、前記第２軸線の回りに予め定められた角度を維持するための第２リターン手段を有する、ことを特徴とする請求項１から３のいずれか一項に記載のトラップ。
【請求項５】
前記第２リターン手段は、バネによって画定される、ことを特徴とする請求項４に記載のトラップ。
【請求項６】
前記固定された保持手段は、下方に突出する少なくともひとつのエレメントを有する、ことを特徴とする請求項１から５のいずれか一項に記載のトラップ。
【請求項７】
前記アタッチ手段は、前記第２トラップドアの前記第２エンド部において、前記第２回転軸線に平行に突出した少なくともひとつの歯によって画定される、ことを特徴とする請求項２から６のいずれか一項に記載のトラップ。
【請求項８】
前記アタッチ手段は、前記第２エンド部に形成された開口のエッジによって画定される、ことを特徴とする請求項２から６のいずれか一項に記載のトラップ。
【請求項９】
前記第１トラップドアは、前記第１軸線に関して直径方向に対向する平坦な第１および第２部分を有し、前記入口は、前記平坦な第１部分内に形成されたさらなる開口によって画定される、ことを特徴とする請求項１から８のいずれか一項に記載のトラップ。
【請求項１０】
餌を収容するように適応され、前記通路からアクセス可能であり、前記第１トラップドアの一部のそばに配置された餌箱をさらに備える、ことを特徴とする請求項１から９のいずれか一項に記載のトラップ。
【請求項１１】
前記コンテナは、前記餌用のハウジングを有し、前記餌にアクセス不能とするように、前記ハウジングから前記通路を分離するシールドを有し、前記シールドは少なくともひとつの穴を有する、ことを特徴とする請求項１から１０のいずれか一項に記載のトラップ。
【請求項１２】
前記通路は、少なくともひとつの開口部を含む壁を有するケーシングにより画定され、前記少なくともひとつの開口部は、前記コンテナに近接し、かつ、前記長手方向に沿って前記通路とアライメントされており、その結果、前記通路は、前記少なくともひとつの開口部を介して外部環境と連通する、ことを特徴とする請求項１から１１のいずれか一項に記載のトラップ。
【発明の詳細な説明】
【技術分野】
【０００１】
本願発明は、動物、特に、マウスおよびラットのような、ネズミ類を捕獲するためのトラップに関する。
【背景技術】
【０００２】
イタリア国実用新案第ＴＯ２０１１Ｕ００００４４号には、タンク、液体、えさ、および、タンクの上に配置され、２つのトラップドアによって形成される水平プラットフォームを含むトラップが記載されている。当該トラップドアは、えさを探している間にプラットフォーム上にたどり着くと、マウスの体重により水平軸線に関して傾斜する。こうして、マウスは、傾斜したトラップドア上をすべり、下のタンク内に転落し、そこでおぼれ死ぬ。
【０００３】
マウスを捕獲した後、カウンターウエイトおよびバネにより、トラップドアは最初の水平位置にそれぞれ戻る。こうして、タンクを空にして、再充填するまでに、比較的大量のマウスが捕獲可能である。
【０００４】
ラットの場合、上述した種類のトラップは、第１のトラップドアが傾斜し始めたときに危険を認識するため、常に捕獲することができるわけではない。したがって、ラットは、下方のタンクに落下することなく、トラップの入口で引き返し、その危険を表すフェロモンを放出することができる。その結果、さらなる捕獲が困難になる。
【０００５】
また、体格の大きな動物の場合、通常サイズの動物に対するトラップドアがアンバランスとなり、比較的長いトラップドアを製造する必要があり、その結果、トラップドアは非常に扱いにくくなる。
【０００６】
他方で、サイズの小さい動物の場合、トラップドアと、トラップの固定構造との間に蓄積する例えば、水分、さび、汚れによる摩擦のため、その体重はトラップドアを傾斜させるのに十分ではない。この場合、マウスは、捕獲されずに餌を食べることができるようになり、その結果、トラップ内に餌が存在するか否かを周期的に確かめなければならない。したがって、不所望なコストおよびメンテナンス時間が生じる。
【発明の概要】
【発明が解決しようとする課題】
【０００７】
本願発明の目的は、単純かつ経済的な方法で上記問題を解決することができ、トラップのメンテナンスが不要で捕獲確率が高い動物、特に、ネズミ類を捕獲するためのトラップを与えることである。
【課題を解決するための手段】
【０００８】
本願発明に従い、請求項１に記載されるような、動物、特に、ネズミ類を捕獲するためのトラップが与えられる。
【０００９】
本願発明は、非限定的な実施形態を示す、添付の図面を参照して説明される。
【図面の簡単な説明】
【００１０】
【図１】図１は、本願発明に従う動物、特に、ネズミ類を捕獲するためのトラップの好適実施形態を示す、一部の部品が明確性のために取り除かれた斜視図である。
【図２】図２は、底面方向から見た図１の拡大斜視図である。
【図３】図３は、側面方向から見た図１の拡大斜視図である。
【図４】図４は、一部の部品を明確性のために除去した、図１のトラップの変形例を示す斜視図である。
【図５】図５は、一部の部品を明確性のために除去した、図１のトラップの変形例の斜視図である。
【発明を実施するための形態】
【００１１】
図１において、動物、特に、マウスまたはラットを捕獲するためのトラップ１が示されている。トラップ１は、下方タンク２および、ケーシング４（部分的に示す）内に配置された上方ギャングウエイまたはプラットフォーム３を有する。タンク２は、次々に捕獲することが可能であるネズミ類の集合を収納するのに十部な大きさを有する。
【００１２】
好適には、タンク２は、液体（図示せず）を有し、それにより、捕獲されたネズミ類をおぼれさせる。液体は、ネズミ類の腐敗を防止するように作用する防腐剤を含む。有利なことに、タンク２は、液体を交換し、おぼれ死んだネズミ類を除去するために、図示しない方法によりケーシング４から除去可能である。有利なことに、トラップ１は、使い捨てタイプのものである。
【００１３】
ギャングウエイ３は、通路８の床を画定し、それは、長手方向９に沿って伸長し、比較的狭い。その結果、方向９に沿って一度に一匹のネズミが通過し、通路８の方向で戻るために方向転換することを防止する。
【００１４】
通路８は、入口１０から始まり、端部領域１２で終端する袋小路によって画定され、そこに、以下で詳細に説明する餌用のコンテナ１３が配置されている。
【００１５】
ギャングウエイ３は、ネズミの体重のために、クローズ構成から、オープン構成（図示せず）に移動可能であり、その結果、重力によってタンク２内に落下する。ギャングウエイ３は、それぞれパネルまたは壁によって画成された２つのトラップドアによって構成されており、方向９に沿って実質的にアライメントされた位置に配置されている。
【００１６】
第１のトラップドア１４が、入口１０から始まり、方向９に垂直な固定した水平軸線１６の回りに回転可能であるように、ヒンジによりハウジング４に結合される。
【００１７】
好適には、トラップドア１４は、ロッカーレバーによって画定されており、それは、軸線１６に関して直径方向に対向する２つの部分１８、１９を有する。部分１８は、入口１０の方向にあり、例えば、それはカウンターウエイト（図４および５の変形例に示されている）を有するため、比較的重い。したがって、トラップドア１４の重心は、軸線１６に関して入口方向に移動される。その体重のおかげで、停止状態（すなわち、ギャングウエイ３上にネズミがいない）において、部分１８はギャングウエイ３をクローズ構成に自動的に移行しかつ維持する傾向がある。ストロークショルダの端部（図示せず）が、部分１８の下方回転を停止させるためにクローズ構成に対応する実質的に水平位置に設けられる。
【００１８】
ギャングウエイ３が開放されると、トラップドア１４は、下方に面する部分１９とともに傾斜し、その結果、ネズミはタンク２内に落下する。また、部分１９は磁石によって、下方面に取り付けられた、付加的ウエイトを具備してもよい。その結果、ウエイトまたは捕獲すべき動物のサイズの関数として、ギャングウエイ３の開放をより良く調整することができる。
【００１９】
本願発明の好適態様に従い、入口１０は、部分１８を通じて直接的に作成された開口によって画定され、その結果、ギャングウエイ３と同じ長さまでケーシング４の長手方向の寸法を減少させることができる。
【００２０】
トラップドア１５に関して、部分２０を有する端部は、ヒンジ２３によって部分１９に結合され、その結果、トラップドア１４に関して、軸線１６に平行な軸線２２の回りに回転することができる。
【００２１】
図２に示すように、軸線１６および部分２０に関して対向端において、トラップドア１５は、アタッチデバイス２４を支持する部分２１を有し、ギャングウエイ３がクローズ構成にあるとき、保持デバイス２５と結合するかまたは係合するように構成され、ケーシング４および／またはコンテナ１３に関して固定される。特に、アタッチデバイス２４は、２つの歯またはフック２６によって画定され、それは、軸線２２に平行に対向する方向で、部分２１から突出している。一方、保持デバイス２５は、２つの舌２７によって画定され、それらは、固定され、下方に突出し、軸線１６および２２に平行な方向に互いから離隔される。その結果、ギャングウエイ３がクローズ構成にあるとき、クリアランスによって部分２１を収容するためのギャップを残す。また、舌はハウジング４のリアの垂直壁２８から長手方向に離隔され、ギャングウエイ３が閉止しているとき、歯２６の挿入用にギャップを残す。クローズ構成において、実際には、歯２６は、壁２８に対向する舌２７のリア表面上に置かれる。
【００２２】
歯２６と、舌２７のリア面との間の結合は、フッキングを画定し、ネズミが部分１９に到達したときにギャングウエイ３をクローズ構成に保持するように構成されている。ヒンジ２３により画定された制限のおかげで、ネズミが部分１９に配置されたとき、その体重の一部は、トラップドア１５に伝達され、部分１９から舌２７へのダイレクトドライブを実行する。この牽引は、舌２７のリア面に対する歯２６の実質的に長手方向の力に対応する。この力により、垂直方向で妨害が生じ、それが、歯２６の下降を防止する。
【００２３】
図１に示すように、クローズ構成において、実質的に水平位置でトラップドア１４をより良く支持するべく、トラップドア１５は、例えば、水平軸線に関して約１０°から１５°の角度で、および／または、トラップドア１４の面に関して約１６０°から１７０°の角度で、わずかに上方に（部分２０から部分２１の方向へ向かって）傾斜している。
【００２４】
ギャングウエイ３は、ネズミがその体重をトラップドア１５に直接乗せるまで、開放しない。実際、この条件で、トラップドア１５によって実行される牽引、したがって、舌２７に対する歯２６の力は減少する。同時に、トラップドア１５上の圧力は、部分１９に関して、それを下方に回転させる傾向がある。トラップドア１５に作用する力のこの変化に応答して、歯２６は、自動的に、舌２７から外れる。
【００２５】
歯２６のリリース後、ネズミの体重の下で、トラップドア１４、１５は、軸線１６の回りに、オープン構成に向かって一緒に回転し、その結果、部分２１と壁２８との間にネズミをタンク２内に落とす空間が形成される。
【００２６】
落下の後、部分１８のウエイトは、クローズ構成にギャングウエイ３全体を自動的に戻すのに十分である。トラップドア１４、１５の長さおよび角度は、ギャングウエイ３の上昇の終わりで舌２７の突出部の後ろで歯２６に自動的に再係合させるように、設定される。
【００２７】
図３に示すように、好適には、ギャングウエイ３は、トラップドア１５に重量がもはや作用しなくなったとき、特に、再係合を容易にするために、トラップドア１４、１５の間の軸線２２の回りで予め設定した角度を回転するような位置およびプレロードを有する弾性リターンエレメント２９を有する。例えば、弾性リターンエレメント２９は、ヒンジ２３に配置された金属製の螺旋バネによって画定される。停止状態でのトラップドア１４、１５の間の予め設定された角度は、部分１９の上面での部分２０のエッジの停止によって定義される。
【００２８】
代替例（図示せず）に従い、弾性リターンエレメント２９は、カウンターウエイトリターンエレメントによって置換され、トラップドア１５のアームにおいて、この場合、軸線２２においてヒンジされるロッカーレバーとして形成される。
【００２９】
図４および５に示す変形例において、トラップ１は、アタッチデバイス２４が開口部３１のエッジによって画定され、部分２１において貫通口として形成される点で、図１の構成と異なる。一方、保持デバイス２５は、固定ピン３３によって画定され、それは、実質的に垂直であり、壁２８から長手軸方向に離隔されて、例えば、コンテナ１３からカンチレバー方式で伸長する。その結果、ギャングウエイ３の上昇中に部分２１のエンドエッジの挿入用のギャップを残す。
【００３０】
上述しかつ図面に示すように、コンテナ１３は、壁２８の正面の固定位置に配置され、使用中に餌が置かれるハウジングを有する。本願発明の好適態様に従い、コンテナ１３は、シールド４３を有し、それは、通路８の端部１２からハウジング４１を分離し、プラットフォーム３がクローズ構成にある場合、ネズミの体重がギャングウエイ３を開くのに十分でない場合、および／または、ギャングウエイ３の移動において過剰な摩擦が存在する場合に、ネズミが餌を食べることを防止する。
【００３１】
シールド４３は、穴４４を備える壁によって画定され、それにより、ネズミは、通路８に入るとき、餌の存在を気づくことができる。
【００３２】
本願発明の他の態様に従い、図１に示すように、エンド領域１２は、穴４４を通じて、および、コンテナ１２の壁２８およびリアの壁に作成された一つ以上の開口部４６を通じて、外部と連通する。
【００３３】
開口部４６は、通常はネズミに照射する超音波出口を生成するべく、穴４４とアライメントされ、かつ、方向９に平行な通路８とアライメントされている。その結果、通路８はデッドエンドではなく、エンドにおいて出口を有する印象を与える。こうして、穴４４および開口部４６は、捕獲確率を向上させるために、通路８の安全についての間接的な偽信号を与える。
【００３４】
有利なことに、変形例（図示せず）に従い、穴４４および開口部４６は、壁４３およびコンテナ１３のリアの壁と置換したネットによって画定される。
【００３５】
本願発明の他の態様に従い、トラップ１は、トラップドア１４の隣に配置された付加的なハウジングによって画定される餌箱４８を有する。餌箱４８は、ネズミ用の餌を収容するために取り付けられ、通路８のひとつの側壁４９に作成された開口を通じて、障害無く永久的にアクセス可能である。こうして、パックリーダー（すなわち、餌を探す際に、縄張りをしばしば巡回する最長老のネズミ）および、あるネズミが、通路８に進入し、餌箱４８から餌を食べ、食べた後に出て、トラップドア１５に到着せず、したがって、ギャングウエイ３の開放を生じさせない。こうして、これらの最初のネズミは、ネズミの家族の残りに、安全な食料が存在するということを示すフェロモンを出す。餌が餌箱４８内にあるとき、ネズミは、通路８の端部にまだ餌、すなわち、コンテナ１３の餌が存在することを認識する。それで、かれらは、トラップドア１５まで進むが、圧力により、ギャングウエイ３が開放され、上述したように捕獲される。
【００３６】
したがって、餌箱４８の存在は、通路８において、安全な餌が存在することを示すフェロモンを放出させ、かつ、駆除のためにコロニーのネズミ全部を捕獲するのに重要である。さもなければ、捕獲は、一匹のみに制限され、タンク２内に落下することにより危険であることを示すフェロモンのみが放出される。したがって、捕獲量に影響を与える。特に、餌箱４は、例えば、ギャングウエイ３をロックまたはアンロックするための任意の手動の付属物を必要としない。それは、部分１８のウエイトのおかげで、および／または、アタッチデバイス２４の結合のおかげで傾斜しないトラップドア１４の一部の隣に配置される。上述したように、餌箱４８の餌が終了した後にのみ、ネズミが通路８の前方へ向うことを誘惑され、コンテナ１３から食べ、タンク２内に落下する。
【００３７】
上記により、ネズミの捕獲確率は、従来の方法に比べ有意に増加する。
【００３８】
第１に、デバイス２４、２５は、部分１９がネズミの体重にさらされた場合であっても、トラップドア１４、１５の間の結合と一緒に、トラップドア１４、１５を実質的に水平の位置に維持することができる。
【００３９】
ネズミは、トラップドア１５まで来て、それが傾いた時にのみ、危険を認識するが、それは入口からかなり遠くにあり、戻って生き残ることはほぼ不可能である。
【００４０】
また、上述したように、開口部４６および／または餌箱４８の存在は、危険が存在しないことをネズミに再確認させる偽の手がかりを画定する。
【００４１】
同時に、トラップ１は、特別のメンテナンス動作を必要としない。特に、シールド４３のおかげで、コンテナ１３内の餌を交換する必要がない。
【００４２】
上記より、上述し図示したトラップ１は、特許請求の範囲に記載した、本願発明の保護範囲の態様から離れることなく、修正および変形が可能であることは明確である。
【００４３】
特に、アタッチデバイス２４は、２つのフックによって画定されてもよい。それは、部分２１のサイドエッジから上方に突出し、保持デバイス２５が側壁４９からそれぞれ、通路８内で突出する２本のピンによって画定される。
【００４４】
デバイス２４、２５の間の垂直動作の制限は、実際のフックの代わりに、磁石アタッチメントにより、または、摩擦結合によって画定されてもよい。磁石アタッチメントは、永久磁石または電磁石によって画定されてよい。電磁石は、小さい電池によって付勢され、ネズミがトラップドア１５を通過しながら対応するスイッチを意図せずに作動させた時にディスエーブルとなる。
【００４５】
また、デバイス２４、２５の間の垂直動作の制限は、トラップドア１４と側壁４９との間に直接配置されたさらなる保持動作と一体化されてよい。
【００４６】
代替的に、または、部分１８のウエイトによって生じるリターンと組み合わせて、トラップドア１４、１５（または上述したレバー機構）に作用し、ギャングウエイ３をクローズ構成（この場合、部分１８も存在しない）に持ってくるように動作させるために、一つ以上のバネが与えられてよい。これらのバネのプレロード、および／または、軸線１６の位置（したがって、部分１８のレバーアーム）および／または部分１８のウエイトが、トラップドア１４、１５の移動を調整するために、調節可能であってもよい。
【００４７】
タンクは、液体無しのハウジングにより画定されてもよく、ネズミ以外の動物を捕獲するために使用されてもよい。
【００４８】
最後に、特許請求の範囲に意図されないが、餌箱４８の存在、シールド４３の存在、開口部４６の存在、および、部分１８内に入口１０を作成する事実は、潜在的な革新的要素を定義する。それは、例えば、単一のトラップドアを有するギャングウエイ、または、互いから開放され、および／または、アタッチデバイス２４を具備しない２つのトラップドアを有するギャングウエイのような他のタイプのギャングウエイと組み合わせても有利に使用可能である。
【図１】
0006356233.tif 000002
【図２】
0006356233.tif 000003
【図３】
0006356233.tif 000004
【図４】
0006356233.tif 000005
【図５】
0006356233.tif 000006